(57)【要約】【課題】一側に表示面を有する表示部の他側を覆うカバーを表示部よりも小形にすることができるとともに、表示装置の非基板装着部分を薄くすることができる表示装置を提供する。【解決手段】一側に表示面を有する表示部１と、該表示部１の他側を隠蔽するカバーとを備え、表示部１における他側の一部に基板装着部を設け、該基板装着部に回路基板２を装着し、該回路基板２をカバーが隠蔽しており、表示部１の他側の非基板装着部をカバーから露出させることにより、カバーを小型にできるとともに、表示装置の非基板装着部分を薄くすることができるようにした。【選択図】図１
2011008026.tif 000002
【特許請求の範囲】
【請求項１】
一側に表示面を有し、他側に基板装着部を有する表示部と、前記基板装着部に装着されている回路基板と、前記表示部の少なくとも他側を隠蔽するカバーとを備える表示装置において、前記基板装着部は前記他側の一部に配してあり、前記カバーは前記回路基板を隠蔽しており、前記他側の非基板装着部は前記カバーから露出していることを特徴とする表示装置。
【請求項２】
前記表示部は略直方体をなし、前記他側の一縁側に基板装着部を配し、少なくとも他縁側が前記カバーから露出している請求項１記載の表示装置。
【請求項３】
前記表示部は、表示パネル及び該表示パネルの周縁部を支持し、前記基板装着部を配してある支持体とを有する請求項１又は２記載の表示装置。
【請求項４】
前記表示部は、前記表示パネル及び支持体の間に配され、前記表示パネルを照射する発光ダイオードが実装されている発光ダイオード基板を有する請求項３記載の表示装置。
【請求項５】
前記支持体は、前記表示パネル側が開放されている箱形をなし、該支持体の前記基板装着部に貫通孔を開設してあり、前記カバーは前記貫通孔を閉塞している請求項３又は４記載の表示装置。
【請求項６】
前記支持体は、前記発光ダイオード基板を一側に支持し、他側に前記基板装着部を配してある金属板及び該金属板と対向する側が開放され、前記基板装着部と対向する箇所に貫通孔が開設されている合成樹脂ケースを有し、前記カバーは前記貫通孔を閉塞している請求項４記載の表示装置。
【発明の詳細な説明】
【技術分野】
【０００１】
本発明はテレビジョン等の表示装置に関する。
【背景技術】
【０００２】
テレビジョン等の表示装置は、前側に表示面を有し直方体をなす表示パネル、該表示パネルを支持する支持体、該支持体に装着される複数の回路基板を有する内部ユニットと、前記表示面を露出させて前記内部ユニットの周縁部前側を覆う外装枠体と、前記内部ユニットの後側を覆うカバーとを備え、該カバーと前記外装枠体とが雄螺子にて締結されている（例えば、特許文献１参照）。
【先行技術文献】
【特許文献】
【０００３】
【特許文献１】特開２００７−１６３８６１号公報
【発明の概要】
【発明が解決しようとする課題】
【０００４】
ところが、特許文献１のように構成された従来の表示装置は、略直方体をなす内部ユニットの周縁部前側を覆う外装枠体と、内部ユニットの後側を覆うカバーとが、内部ユニットよりも大型に形成され、内部ユニットの全体を覆っているため、大型の外装枠体及びカバーが必要であり、また、表示装置の前後厚さが全体に亘って厚くなり、薄型化に支障を来しており、改善策が要望されていた。
【０００５】
本発明は斯かる事情に鑑みてなされたものであり、主たる目的は一側に表示面を有する表示部の他側を覆うカバーを表示部よりも小型にすることができるとともに、表示装置の非基板装着部分を薄くすることができる表示装置を提供することにある。
【課題を解決するための手段】
【０００６】
本発明に係る表示装置は、一側に表示面を有し、他側に基板装着部を有する表示部と、前記基板装着部に装着されている回路基板と、前記表示部の少なくとも他側を隠蔽するカバーとを備える表示装置において、前記基板装着部は前記他側の一部に配してあり、前記カバーは前記回路基板を隠蔽しており、前記他側の非基板装着部は前記カバーから露出していることを特徴とする。
【０００７】
この発明にあっては、表示部における他側の一部に基板装着部が配され、該基板装着部に装着されている回路基板をカバーが隠蔽しているため、換言すると表示部における他側の一部だけをカバーが隠蔽しているため、該カバーを表示部よりも小型にでき、しかも、カバーが隠蔽していない部分は表示部の他側が露出し、カバーがないため、表示装置の非基板装着部分の厚さを薄くすることができる。
【０００８】
また、本発明に係る表示装置は、前記表示部は略直方体をなし、前記他側の一縁側に基板装着部を配し、少なくとも他縁側が前記カバーから露出している構成とするのが好ましい。
この発明にあっては、表示面が前側となるように表示部が起立する状態で配置される場合、表示部の上縁側の前後厚さを薄くすることができるため、表示装置の重心を下げることができ、表示装置の安定性を高めることができる。
【０００９】
また、本発明に係る表示装置は、前記表示部は、表示パネル及び該表示パネルの周縁部を支持し、前記基板装着部を配してある支持体とを有する構成とするのが好ましい。
この発明にあっては、表示パネルの周縁部を支持する支持体がカバーから露出しているため、表示装置の非基板装着部分の厚さを薄くすることができる。
【００１０】
また、本発明に係る表示装置は、前記表示部は、前記表示パネル及び支持体の間に配され、前記表示パネルを照射する発光ダイオードが実装されている発光ダイオード基板を有する構成とするのが好ましい。
この発明にあっては、蛍光ランプのように放電させるための高電圧部品が必要でなく、発光ダイオード基板に低電圧部品を実装することができるため、発光ダイオード基板とカバーとの間の離隔距離を短縮することができ、カバーをより一層小形化できるとともに、表示装置の非基板装着部分の厚さをより一層薄くすることができる。
【００１１】
また、本発明に係る表示装置は、前記支持体は、前記表示パネル側が開放されている箱形をなし、該支持体の前記基板装着部に貫通孔を開設してあり、前記カバーは前記貫通孔を閉塞している構成とするのが好ましい。
この発明にあっては、箱形をなす支持体内に回路基板を配することができ、カバーを板状又は皿状に形成することができるため、回路基板がメンテナンスされる際に取外しされるカバーをより一層小型化でき、該カバーを取外すことにより、支持体の貫通孔から回路基板をメンテナンスすることができる。
【００１２】
また、本発明に係る表示装置は、前記支持体は、前記発光ダイオード基板を一側に支持し、他側に前記基板装着部を配してある金属板及び該金属板と対向する側が開放され、前記基板装着部と対向する箇所に貫通孔が開設されている合成樹脂ケースを有し、前記カバーは前記貫通孔を閉塞している構成とするのが好ましい。
この発明にあっては、発光ダイオード基板に発生する熱を金属板から放熱することができるため、実装される発光ダイオードの個数が多い場合においても発光ダイオード基板による昇温を抑制することができるとともに、支持体を軽量にでき、ひいては表示装置を軽量にできる。また、カバーを板状又は皿状に形成することができるため、回路基板がメンテナンスされる際に取外しされるカバーをより一層小型化でき、該カバーを取外すことにより、支持体の貫通孔から回路基板をメンテナンスすることができる。
【発明の効果】
【００１３】
本発明によれば、一側に表示面を有する表示部における他側の一部だけをカバーが隠蔽しているため、カバーを表示部よりも小型にでき、しかも、カバーが隠蔽していない部分は表示部の他側が露出し、カバーがないため、表示装置の非基板装着部分の厚さを薄くすることができる。
【図面の簡単な説明】
【００１４】
【図１】本発明に係る表示装置における表示部の構成を示す展開した模式的斜視図である。
【図２】表示部とカバーとの関係を示す展開した模式的斜視図である。
【図３】回路基板の配置構成を示す表示部の背面側の説明図である。
【図４】本発明に係る表示装置の構成を示す模式的斜視図である。
【図５】本発明に係る表示装置における表示部の他の構成を示す展開した模式的斜視図である。
【図６】表示部とカバーとの関係を示す展開した模式的斜視図である。
【図７】本発明に係る表示装置の他の構成を示す模式的斜視図である。
【発明を実施するための形態】
【００１５】
以下本発明をその実施の形態を示す図面に基づいて詳述する。
実施の形態１
図１は本発明に係る表示装置における表示部の構成を示す展開した模式的斜視図、図２は表示部とカバーとの関係を示す展開した模式的斜視図、図３は回路基板の配置構成を示す表示部の背面側の説明図、図４は表示装置の構成を示す模式的斜視図である。
【００１６】
この表示装置はテレビ画像を表示する表示面を前側に有し、後側の一部に基板装着部１ａを有し、略直方体をなす表示部１と、基板装着部１ａに装着されている複数の回路基板２と、表示部１の周縁部前側を隠蔽する外装枠体３と、表示部１の後側を隠蔽するカバー４とを備える液晶テレビジョンである。
【００１７】
表示部１は、液晶の表示パネル１１と、該表示パネル１１の前側及び後側に配され、表示パネル１１の周縁部を前後に挾着して支持する内装枠体１２及び支持体１３と、該支持体１３及び表示パネル１１間に順次配される反射シート１４、複数の発光ダイオード基板１５、光学シート１６とを有する。
【００１８】
発光ダイオード基板１５は短冊形をなし、支持体１３の後記する放熱板に複数列に並置されている。発光ダイオード基板１５の一面には、光源としての複数の発光ダイオードと、発光ダイオードの頂部と対向し、該発光ダイオードが発光した光を拡散させる複数のレンズとが長さ方向に離隔して実装されており、発光ダイオード基板１５の他面が放熱板に接触し、発光ダイオード基板１５に発生した熱を放熱板から放熱するように構成されている。
【００１９】
反射シート１４は前記レンズと対向する箇所に該レンズよりも大径の貫通孔が開設されている。
【００２０】
光学シート１６は、前記発光ダイオードが発光した光を拡散する比較的厚肉の拡散板１６ａと、反射偏光板、プリズムシート等の比較的薄肉の合成樹脂シート１６ｂとが積層された積層体であり、周縁部が反射シート１４を介して支持体１３の周縁部に支持されている。
【００２１】
支持体１３は、前側が開放された箱形をなす合成樹脂ケース１３ａと、該合成樹脂ケース１３ａの開放側に配され、発光ダイオード基板１５に発生した熱を放熱するための放熱板１３ｂとを備える。
【００２２】
放熱板１３ｂは矩形をなす金属板からなり、該放熱板１３ｂの前面に、複数の発光ダイオード基板１５が複数列に並置されており、放熱板１３ｂの後面下側に基板装着部１ａが設けられ、該基板装着部１ａに複数の回路基板２が装着されており、放熱板１３ｂ、発光ダイオード基板１５及び回路基板２がユニットになっている。
【００２３】
合成樹脂ケース１３ａは、矩形をなす板部１３ｃ及び該板部１３ｃの周縁に連なる枠部１３ｄを有する。枠部１３ｄの周縁部には周方向に離隔して複数の第１取付孔が開設されており、板部１３ｃの基板装着部１ａと対向する箇所、換言すると回路基板２と対向する箇所に、前後に貫通する矩形の貫通孔１３ｅが開設されており、該貫通孔１３ｅに回路基板２が臨んでいる。また、板部１３ｃの貫通孔１３ｅ周りには周方向に離隔して複数の第２取付孔が開設されている。
【００２４】
回路基板２は、放熱板１３ｂの一側部に配され、表示パネル１１に表示する映像信号を処理する信号処理回路基板２１と、他側部に配され、信号処理回路基板２１及び発光ダイオード基板１５等に実装されている部品に電圧を供給する電源回路基板２２と、中央部下側に配され、表示パネル１１の駆動及び制御を行う制御回路基板２３と、一側部下側に配され、表示ランプ及びリモートコントロール用受光素子等を集約した表示回路基板２４とを有し、横方向に離隔して並置されている。
【００２５】
外装枠体３は、環板部３１及び該環板部３１の周縁に連なる枠部３２を有し、合成樹脂材にて一体に成形されており、環板部３１の複数の周方向位置に、前記第１取付孔と対向する挿通孔が開設され、該挿通孔から第１取付孔に捩込まれる雄螺子にて支持体１３の周縁部に取外しを可能に取付けられるように構成されている。また、枠部３２の周縁部が支持体１３の周縁部と前後に向き合っている。
【００２６】
カバー４は、板状または皿状の矩形をなし、貫通孔１３ｅよりも大型であるが、支持体１３よりは小型に形成され、貫通孔１３ｅに臨む回路基板２を隠蔽し、支持体１３の貫通孔１３ｅ周り、換言すると基板装着部１ａに装着されている回路基板２を隠蔽することができる大きさに形成されている。カバー４の周縁部には前記第２取付孔に対応する複数の挿通孔が開設され、該挿通孔から第２取付孔に捩込まれる雄螺子にて支持体１３に取外しを可能に取付けられるように構成されている。
【００２７】
以上のように構成された表示装置は、箱形をなす合成樹脂ケース１３ａの開放側に、放熱板１３ｂ、反射シート１４、複数の発光ダイオード基板１５、光学シート１６、表示パネル１１及び内装枠体１２が順次装着され、内装枠体１２が合成樹脂ケース１３ａの周縁部に結合されることにより表示部１が形成される。
【００２８】
この表示部１の周縁部前側に外装枠体３が嵌め込まれ、該外装枠体３の挿通孔から第１取付孔に雄螺子が捩込まれることにより、外装枠体３が支持体１３の周縁部に取付けられ、表示部１における支持体１３の板部１３ｃに開設されている貫通孔１３ｅと対向する箇所にカバー４が配置され、該カバー４の挿通孔から第２取付孔に雄螺子が捩込まれることにより、カバー４が支持体１３の板部１３ｃに取付けられる。
【００２９】
カバー４は支持体１３よりも小型であり、支持体１３の下側に装着されている回路基板２を隠蔽することができるだけの大きさに形成されており、表示部１の上側はカバー４が隠蔽していないため、表示装置の上側の厚さを薄くすることができる。
【００３０】
複数の導線が接続されている回路基板２等のメンテナンスが行われる際、カバー４を取付けてある雄螺子を取外すことにより、カバー４を取外すことができ、回路基板２が貫通孔１３ｅから露出し、該回路基板２等のメンテナンスを容易に行うことができる。
【００３１】
実施の形態２
図５は本発明に係る表示装置における表示部の他の構成を示す展開した模式的斜視図、図６は表示部とカバーとの関係を示す展開した模式的斜視図、図７は表示装置の他の構成を示す模式的斜視図である。この表示装置は、支持体１３を構成する合成樹脂ケース１３ａの板部１３ｃに、複数の回路基板２と対向する一つの貫通孔１３ｅを開設する代わりに、メンテナンスが行われる可能性が高い回路基板２と対向する箇所にだけ一つ又は複数の貫通孔１３ｅを開設し、該貫通孔１３ｅを閉塞するカバー４を合成樹脂ケース１３ａの板部１３ｃに雄螺子にて取付けたものである。
【００３２】
板部１３ｃの貫通孔１３ｅ周りには周方向に離隔して複数の第２取付孔が開設されている。また、カバー４の周縁部には第２取付孔に対応する複数の挿通孔が開設されており、該挿通孔から第２取付孔に捩込まれる雄螺子にてカバー４が合成樹脂ケース１３ａに取外しを可能に取付けられている。
【００３３】
この実施の形態にあっては、回路基板２と対向する貫通孔１３ｅを閉塞するカバー４を比較的小型にすることができ、表示部１のカバー４が隠蔽していない部分を多くすることができるため、表示装置の厚さが薄い部分を多くすることができる。
その他の構成及び作用は実施の形態１と同様であるため、同様の部品については同じ符号を付し、その詳細な説明及び作用効果の説明を省略する。
【００３４】
尚、以上説明した実施の形態では、表示パネル１１を支持する支持体１３を、合成樹脂ケース１３ａ及び放熱板１３ｂを有する構成としたが、その他、表示面の大きさに対する発光ダイオードの個数、発光ダイオード基板１５自体の放熱性等によっては放熱板１３ｂがない構成となる。この場合、合成樹脂ケース１３ａの貫通孔１３ｅをなくし、合成樹脂ケース１３ａにおける板部１３ｃの後面下側に基板装着部１ａが設けられ、該基板装着部１ａに回路基板２が装着される。この回路基板２は板部１３ｃから後方へ突出する構成となるため、カバー４は深皿形に形成される。また、合成樹脂ケース１３ａに回路基板２が装着される構成において、板部１３ｃの前側に回路基板２を装着するとともに、回路基板２に対向する貫通孔１３ｅを板部１３ｃに開設し、該貫通孔１３ｅをカバー４が閉塞する構成としてもよい。また、支持体１３は、金属板にて箱形をなす構成としてもよい。
【００３５】
また、以上説明した実施の形態では、表示部１の周縁部前側を隠蔽する外装枠体３を備える構成としたが、その他、表示部１の内装枠体１２をなくし、外装枠体３及び支持体１３が表示パネル１１の周縁部を前後に挾着して支持する構成としてもよい。この場合の表示部１は、外装枠体３を有する構成となる。
【符号の説明】
【００３６】
１    表示部
１ａ  基板装着部
１１  表示パネル
１３  支持体
１３ａ  合成樹脂ケース
１３ｂ  金属板
１３ｅ  貫通孔
１５  発光ダイオード基板
２    回路基板
４    カバー
【図１】
2011008026.tif 000003
【図２】
2011008026.tif 000004
【図３】
2011008026.tif 000005
【図４】
2011008026.tif 000006
【図５】
2011008026.tif 000007
【図６】
2011008026.tif 000008
【図７】
2011008026.tif 000009